(57)【特許請求の範囲】
【請求項１】
透液性の表面シートと、不透液性の裏面シートと、前記表面シートと前記裏面シートとの間に介装される吸収体と、を備えるとともに、平面視略矩形をなし、複数並べて使用されるペット用吸収性シートにおいて、
当該ペット用吸収性シートの端面部のうち少なくとも隣り合う二つの端面部を、液透過状態と液不透過状態とに切り替える切替手段を備え、
前記切替手段は、
当該ペット用吸収性シートの端面部のうち少なくとも隣り合う二つの端面部から外側に延出し、前記端面部を覆うように折り曲げ可能な、前記表面シート及び前記裏面シートからなる延出部と、
延出部が表面の端面部を覆って表面シートに着脱自在に固定される、表面シート側に設けられた上面固定部と、
延出部が裏面の端面部を覆って裏面シートに着脱自在に固定される、裏面シート側に設けられた下面固定部と、
を備えることを特徴とするペット用吸収性シート。
【請求項２】
透液性の表面シートと、不透液性の裏面シートと、前記表面シートと前記裏面シートとの間に介装される吸収体と、を備えるとともに、平面視略矩形をなし、複数並べて使用されるペット用吸収性シートにおいて、
当該ペット用吸収性シートの端面部のうち少なくとも隣り合う二つの端面部を、液透過状態と液不透過状態とに切り替える切替手段を備え、
前記切替手段は、
当該ペット用吸収性シートの端面部のうち少なくとも隣り合う二つの端面部から外側に延出し、前記端面部を覆うように折り曲げ可能な、前記裏面シートのみからなる延出部と、
延出部が表面の端面部を覆って表面シートに着脱自在に固定される、裏面シートの上面側に設けられた上面固定部と、
延出部が裏面の端面部を覆って裏面シートに着脱自在に固定される、裏面シートの下面側に設けられた下面固定部と、
を備えることを特徴とするペット用吸収性シート。
【請求項３】
透液性の表面シートと、不透液性の裏面シートと、前記表面シートと前記裏面シートとの間に介装される吸収体と、を備えるとともに、平面視略矩形をなし、複数並べて使用されるペット用吸収性シートにおいて、
当該ペット用吸収性シートの端面部のうち少なくとも隣り合う二つの端面部を、液透過状態と液不透過状態とに切り替える切替手段を備え、
前記切替手段は、
当該ペット用吸収性シートの端面部のうち少なくとも隣り合う二つの端面部の全体を覆い、当該端面部に剥離可能に設けられた液不透過性の剥離シートを備えることを特徴とするペット用吸収性シート。
【発明の詳細な説明】
【技術分野】
【０００１】
本発明は、ペット用吸収性シートに関する。
【背景技術】
【０００２】
従来、犬、猫等のペットが排泄した尿等を吸収するためのペット用吸収性シートが普及している。
こうしたペット用吸収性シートとしては、透液性の表面シートと、不透液性の裏面シートと、表面シートと裏面シートとの間に介装される吸収体と、を備える構成が知られている（例えば、特許文献１等参照。）。
【０００３】
また、ペット用吸収性シートとして、複数の分割シート部材を有するとともに、分割シート部材に着脱手段を設け、分割シート部材を、着脱手段を介して結合して一枚のペット用吸収性シート（ペットシート）を構成し、ペットの排泄物によって汚れた部分の分割シート部材のみを交換できるようにしたものが知られている（例えば、特許文献２参照。）。
このペット用吸収性シートによれば、汚れた部分の分割シート部材のみを交換すればよいので、経済的であるとともに、ペット用吸収性シートが全体に汚れた後に交換する場合と比べて衛生的である。
【先行技術文献】
【特許文献】
【０００４】
【特許文献１】特開２００１−３５２８５２号公報
【特許文献２】特開２００７−２０４６９号公報
【発明の概要】
【発明が解決しようとする課題】
【０００５】
しかしながら、特許文献２においては、分割シート部材の端面は透液性となっている。従って、この分割シート部材を結合したペット用吸収性シートの端面も透液性となるため、吸収した尿が端面からもれてしまうという問題がある。
また、それを防止するため、例えば、ペット用吸収性シートの端面に不透液性の装着部材を使用することが考えられるが、これだと、部品点数が増えてコストがかかるという問題が生じる。
【０００６】
本発明の課題は、汚れた部分のみを交換可能で、且つ端面からの液漏れを防止することができるペット用吸収性シートを提供することである。
【課題を解決するための手段】
【０００７】
前記課題を解決するために、請求項１に記載の発明は、透液性の表面シートと、不透液性の裏面シートと、前記表面シートと前記裏面シートとの間に介装される吸収体と、を備えるとともに、平面視略矩形をなし、複数並べて使用されるペット用吸収性シートにおいて、当該ペット用吸収性シートの端面部のうち少なくとも隣り合う二つの端面部を、液透過状態と液不透過状態とに切り替える切替手段を備え、前記切替手段は、当該ペット用吸収性シートの端面部のうち少なくとも隣り合う二つの端面部から外側に延出し、前記端面部を覆うように折り曲げ可能な、前記表面シート及び前記裏面シートからなる延出部と、延出部が表面の端面部を覆って表面シートに着脱自在に固定される、表面シート側に設けられた上面固定部と、延出部が裏面の端面部を覆って裏面シートに着脱自在に固定される、裏面シート側に設けられた下面固定部と、を備えることを特徴とする。
【０００８】
請求項１記載の発明によれば、複数並べて使用されるペット用吸収性シートのうち汚れた部分のペット用吸収性シートのみを交換可能である。また、切替手段により、ペット用吸収性シートの端面部のうち少なくとも隣り合う二つの端面部が液透過状態と液不透過状態とに切り替えられるので、当該端面部に他のペット用吸収性シートが並設される場合には、当該端面部を液透過状態に切り替えるとともに、当該端面部がペット用吸収性シートの集合体の端面部となる場合には、当該端面部を液不透過状態に切り替えることができることとなって、ペット用吸収性シートの端面部からの液漏れを防止することができる。また、切替手段として既存の表面シート及び裏面シートからなる延出部を用いているので、部品点数を増やすことなく切替手段を構成することができることとなって、コスト上昇を抑えることができる。
【０００９】
請求項２記載の発明は、透液性の表面シートと、不透液性の裏面シートと、前記表面シートと前記裏面シートとの間に介装される吸収体と、を備えるとともに、平面視略矩形をなし、複数並べて使用されるペット用吸収性シートにおいて、当該ペット用吸収性シートの端面部のうち少なくとも隣り合う二つの端面部を、液透過状態と液不透過状態とに切り替える切替手段を備え、前記切替手段は、当該ペット用吸収性シートの端面部のうち少なくとも隣り合う二つの端面部から外側に延出し、前記端面部を覆うように折り曲げ可能な、前記裏面シートのみからなる延出部と、延出部が表面の端面部を覆って表面シートに着脱自在に固定される、裏面シートの上面側に設けられた上面固定部と、延出部が裏面の端面部を覆って裏面シートに着脱自在に固定される、裏面シートの下面側に設けられた下面固定部と、を備えることを特徴とする。
【００１０】
請求項２記載の発明によれば、請求項１記載の発明と同様の効果を有するのは無論のこと、特に、切替手段として既存の裏面シートのみからなる延出部を用いているので、部品点数を増やすことなく切替手段を構成することができることとなって、コスト上昇を抑えることができる。
【００１３】
請求項３記載の発明は、透液性の表面シートと、不透液性の裏面シートと、前記表面シートと前記裏面シートとの間に介装される吸収体と、を備えるとともに、平面視略矩形をなし、複数並べて使用されるペット用吸収性シートにおいて、当該ペット用吸収性シートの端面部のうち少なくとも隣り合う二つの端面部を、液透過状態と液不透過状態とに切り替える切替手段を備え、前記切替手段は、当該ペット用吸収性シートの端面部のうち少なくとも隣り合う二つの端面部の全体を覆い、当該端面部に剥離可能に設けられた液不透過性の剥離シートを備えることを特徴とする。
【００１４】
請求項３記載の発明によれば、請求項１，２記載の発明と同様の効果を有するのは無論のこと、特に、剥離シートを剥がすことで端面部を液不透過状態から液透過状態に切り替えることができるので、容易に切り替えることができる。
【発明の効果】
【００１５】
本発明によれば、複数並べて使用されるペット用吸収性シートのうち汚れた部分のペット用吸収性シートのみを交換可能である。また、切替手段により、ペット用吸収性シートの端面部のうち少なくとも隣り合う二つの端面部が液透過状態と液不透過状態とに切り替えられるので、当該端面部に他のペット用吸収性シートが並設される場合には、当該端面部を液透過状態に切り替えるとともに、当該端面部がペット用吸収性シートの集合体の端面部となる場合には、当該端面部を液不透過状態に切り替えることができることとなって、ペット用吸収性シートの端面部からの液漏れを防止することができる。
【図面の簡単な説明】
【００１６】
【図１】第１実施形態のペット用吸収性シートの一例を示す平面図である。
【図２】図１のII-II部の断面図である。
【図３】第１実施形態のペット用吸収性シートを複数並べて配置した状態を示す平面図である。
【図４】図３のIV-IV部の断面図である。
【図５】第２実施形態のペット用吸収性シートの一例を示す平面図である。
【図６】図のVI-VI部の断面図である。
【図７】第２実施形態のペット用吸収性シートの一例を示す平面図である。
【図８】図７のVIII−VIII部の断面図である。
【図９】第２実施形態のペット用吸収性シート同士の固定状態を示す断面図である。
【図１０】第２実施形態のペット用吸収性シートの変形例を示す断面図である。
【図１１】第３実施形態のペット用吸収性シートの断面図である。
【発明を実施するための形態】
【００１７】
以下、図を参照して、本発明の実施の形態であるペット用吸収性シートを詳細に説明する。ただし、発明の範囲は、図示例に限定されない。
なお、以下の説明では、ペット用吸収性シートの一方向をＸ方向、Ｘ方向と直交する方向をＹ方向とする。また、ペット用吸収性シートの厚さ方向をＺ方向とする。
【００１８】
（第１実施形態）
本発明の第１実施形態のペット用吸収性シートについて、図１〜４に基づいて説明する。
ペット用吸収性シート１は、例えば、図１に示すように、平面視略正方形となっており、表面からペットにより排泄された排泄物の水分をシート内に吸収することができるものである。
【００１９】
具体的に、ペット用吸収性シート１は、図２に示すように、尿などの液体を速やかに透過させる透液性の表面シート１１と、表面シート１１の裏面側に配置される不透液性の裏面シート１２と、これら表面シート１１と裏面シート１２との間に介装される吸収体１３等を備えて構成されている。
このペット用吸収性シート１の大きさは、例えば、一辺の長さが１４〜１７ｃｍ、好ましくは、１５〜１６ｃｍの略正方形とされている。
即ち、このペット用吸収性シート１は、通常の規格サイズ（例えば、４５×３０ｃｍ、６０×４５ｃｍ、９０×６０ｃｍ等）の公約数となる寸法である。従って、ペット用吸収性シート１は、１枚単独での使用ではなく、例えば、図３に示すように、複数枚のペット用吸収性シート１を並べて配置してペット用吸収性シート集合体１０を構成して使用する。
なお、ペット用吸収性シート１は、平面視略矩形であればよく、必ずしも略正方形でなく長方形であってもよい。
【００２０】
表面シート１１は、吸収体１３天面を覆い、更に外側に延出して設けられている。表面シート１１は、有孔または無孔の不織布や、多孔性プラスチックシートなどにより形成されている。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、或いはこれらを組み合わせた方法等によって不織布を製造することができる。
表面シート１１に多数の透孔を形成した場合には、尿等の液体がより速やかに吸収されるようになり、ドライタッチ性に優れたものとなる。
【００２１】
裏面シート１２は、吸収体１３底面を覆い、更に外側に延出して設けられている。この延出している部分が裏面シート延出部１２ａを構成する。そして、裏面シート延出部１２ａと表面シート１１の吸収体１３からの延出部分とがホットメルト接着剤、ヒートシール、超音波シール等により接着されている。
裏面シート延出部１２ａは、表面シート１１側に折り曲げた時にペット用吸収性シート１の端面部１ａを覆うことができる程度の長さを有しており、この裏面シート延出部１２ａが切替手段を構成する。
裏面シート１２は、液不透過性の素材であれば、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。また、このほかにも、マイクロデニール繊維を用いた不織布、熱や圧力をかけることで繊維の空隙を小さくすることによる防漏性強化、高吸水性樹脂または疎水性樹脂や撥水剤の塗工といった方法により、プラスチックフィルムを用いずに液不透過性としたシートも裏面シート１２として用いることができる。また、裏面シート１２は、例えば、防漏シートと吸液シートを組み合わせたシートのように、その最外面が吸液性のものであってもよい。これにより、ペット用吸収性シート１同士の接合部から、万が一、尿等の液体のしみ出しがあった場合でも、少量であれば吸液シートにより吸液できるため、衛生的である。
【００２２】
吸収体１３は、尿等の水様成分を吸収するものであり、例えば、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。また、繊維集合体に、高吸水性樹脂（ＳＡＰ；Super Absorbent Polymer）を組み合わせて吸収体１３を構成することもできる。
高吸水性樹脂としては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。
さらに、消臭機能を持たせるため、消臭剤を吸収体１３に入れてもよい。吸収剤としては、例えば、活性炭や天然鉱物(例えば、ベンナイト、カオリナイト、カネマイト等)、合成無機物（ゼオライト、アモルファスシリカ等）を用いることができる。
【００２３】
次に、ペット用吸収性シート集合体１０を構成するときの、裏面シート延出部１２ａによるペット用吸収性シート１の端面部１ａの液透過状態と液不透過状態との切り替えについて、図３、図４を用いて説明する。
図３においては、Ｘ方向に３枚、Ｙ方向に４枚のペット用吸収性シート１をマトリクス状に配置（合計１２枚）することで、ペット用吸収性シート集合体１０を構成している。
まず、中央に配置された、ペット用吸収性シート１（１Ａ）は、４辺が全てペット用吸収性シート１（１Ｂ）に囲まれているため、図４に示すように、裏面シート延出部１２ａが裏面シート１２側に折り曲げられることで、端面部１ａが液透過状態とされる。
また、ペット用吸収性シート集合体１０の端部１０ａに配置されたペット用吸収性シート１（１Ｂ、１Ｃ）の端部１０ａとなる端面部１ａでは、図４に示すように、裏面シート延出部１２ａが表面シート１１側に折り曲げられることで、端面部１ａ（端部１０ａ）が液不透過状態とされる。
なお、ペット用吸収性シート集合体１０の角部１０ｂに配置されたペット用吸収性シート１（１Ｃ）の場合、角部１０ｂを構成する隣り合う二つの端面部１ａが液不透過状態とされる。
【００２４】
以上説明した第１実施形態のペット用吸収性シート１によれば、複数並べて使用されるペット用吸収性シート１のうち汚れた部分のペット用吸収性シート１のみを交換可能である。また、裏面シート延出部１２ａにより、ペット用吸収性シート１の端面部１ａが液透過状態と液不透過状態とに切り替えられるので、当該端面部１ａに他のペット用吸収性シート１が並設される場合には、裏面シート延出部１２ａが裏面シート１２側に折り曲げられることで端面部１ａを液透過状態に切り替えるとともに、端面部１ａがペット用吸収性シート集合体１０の端部１０ａとなる場合には、裏面シート延出部１２ａが表面シート１１側に折り曲げられることで液透過状態に切り替えることができることとなって、ペット用吸収性シート１の端面部１ａからの液漏れを防止することができる。
また、切替手段として既存の裏面シート１２を用いているので、部品点数を増やすことなく切替手段を構成することができることとなって、コスト上昇を抑えることができる。
なお、上記実施形態においては、切替手段をペット用吸収性シート１の４つの端面部全てに設ける構成としたが、当該ペット用吸収性シートの端面部のうち少なくとも隣り合う二つの端面部に切替手段を設ける構成であればよい。
また、裏面シート延出部１２ａは、裏面シート１２のみが延出していればよく、表面シート１１は延出していなくてもよい。
【００２５】
（第２実施形態）
次に、第２実施形態のペット用吸収性シート２について、図５〜９に基づいて説明する。
なお、以下の説明において、上記第１実施形態と同様の構成については同一の符号を付して、その説明を省略する。
【００２６】
第２実施形態のペット用吸収性シート２は、図５、図６に示すように、裏面シート延出部１２ａに、裏面シート延出部１２ａが端面部２ａを覆って表面シート１１に着脱自在に固定される固定部１４を備える点で第１実施形態のペット用吸収性シート１と異なる。
固定部１４は、裏面シート延出部１２ａの上面に固定された表面シート１１に固定されることで、裏面シート延出部１２ａに設けられている。
固定部１４は、例えば、粘着剤が貼付された粘着剤層により構成される。
粘着剤としては、特に制限されず、例えば、ホットメルト粘着剤、エマルジョン系粘着剤、溶剤系粘着剤、オリゴマー系粘着剤、固系粘着剤などのいずれの形態の粘着剤であってもよい。粘着剤は、単独で又は２種以上組み合わせて使用することができる。粘着剤としては、ホットメルト粘着剤を好適に用いることができる。
【００２７】
ホットメルト粘着剤は、エラストマー（熱可塑性エラストマー等）や熱可塑性樹脂などをベースポリマーとしている。なお、ベースポリマーは単独で又は２種以上を組み合わせて使用できる。ホットメルト粘着剤におけるベースポリマーの熱可塑性エラストマーとしては、例えば、スチレン−イソプレン−スチレンブロック共重合体（ＳＩＳ）、スチレン−ブタジエン−スチレンブロック共重合体（ＳＢＳ）、スチレン−エチレン−ブチレン−スチレンブロック共重合体（ＳＥＢＳ）、スチレン−エチレン−プロピレン−スチレンブロック共重合体（ＳＥＰＳ）、スチレン−エチレン−プロピレンブロック共重合体（ＳＥＰ）などのスチレン系熱可塑性エラストマー（スチレン系ブロックコポリマー；例えばスチレン含有量５重量％以上のスチレン系ブロックコポリマー）；ポリウレタン系熱可塑性エラストマー；ポリエステル系熱可塑性エラストマー；ポリプロピレンとＥＰＴ（三元系エチレン−プロピレンゴム）とのポリマーブレンドなどのブレンド系熱可塑性エラストマーなどが挙げられる。
【００２８】
また、固定部１４は、面ファスナのオス材の係止要素である、鉤状、きのこ状、錨状等の多数の突起が形成されたフック材などにより構成された係止部材を備え、当該係止部材を表面シートに直接係止させたり、或いは表面シートに設けられた被係止部材に係止させたりするものであってもよい。
また、吸収体１３の端部の下方に位置する裏面シート１２に、固定部１４と同様の裏面固定部１５が設けられ、裏面シート延出部１２ａを裏面シート１２側に折り曲げた場合の裏面シート延出部１２ａを当該裏面固定部１５に固定することができるようになっている。
【００２９】
そして、図７に示すペット用吸収性シート集合体２０において、中央に配置された、ペット用吸収性シート２（２Ａ）は、４辺が全てペット用吸収性シート２（２Ｂ）に囲まれているため、図８に示すように、裏面シート延出部１２ａが裏面シート１２側に折り曲げられ、裏面固定部１５に固定されることで、端面部２ａが液透過状態とされる。
また、ペット用吸収性シート集合体２０の端部２０ａに配置されたペット用吸収性シート２（２Ｂ、２Ｃ）の端部２０ａとなる端面部２ａでは、図８に示すように、裏面シート延出部１２ａが表面シート１１側に折り曲げられ、固定部１４に固定されることで、端面部２ａ（端部２０ａ）が液不透過状態とされる。
【００３０】
以上説明した第２実施形態のペット用吸収性シート２によれば、固定部１４によって、裏面シート延出部１２ａが表面シート１１に固定されるので、裏面シート延出部１２ａが表面シート１１に固定された端面部２ａは、液不透状態を確実に維持することができ、より確実にペット用吸収性シート２の端面部２ａからの液漏れを防止することができる。
また、二つのペット用吸収性シート２を並設する際、例えば、図９に示すように、一方のペット用吸収性シート２（２Ａ）の端面部２ａにおいて、裏面シート延出部１２ａを裏面シート１２側に折り曲げて裏面固定部１５に固定するともに、他方のペット用吸収性シート２（２Ｂ）の端面部２ａの裏面シート延出部１２ａを裏面シート１１側に折り曲げずに、一方のペット用吸収性シート２（２Ａ）の裏面シート１１に固定するようにしてもよい。
このようにすることで、二つのペット用吸収性シート２の端面部２ａ同士を接合することができ、の接合面におけるＺ方向への尿等の液体の漏れを低減させることができる。
なお、固定部１４は、裏面シート延出部１２ａに線状に連続して設けられているが、断続的に設けても良い。
【００３１】
（変形例１）
図１０に示すように、第２実施形態のペット用吸収性シート２の変形例であるペット用吸収性シート３において、表面シート１１は、吸収体１３を巻き込み、吸収体１３の底面側で裏面シート１２に固定され、裏面シート１２のみを、吸収体１３の外側に延出させてもよい。この場合、固定部１４は、裏面シート延出部１２ａに直接固定されることとなる。
【００３２】
（第３実施形態）
次に、第３実施形態のペット用吸収性シート４について、図１１に基づいて説明する。
なお、以下の説明において、上記第１実施形態と同様の構成については同一の符号を付して、その説明を省略する。
【００３３】
第３実施形態のペット用吸収性シート４は、図１１に示すように、表面シート１１は、吸収体１３を巻き込み、吸収体１３の底面側で裏面シート１２に固定されている。
ペット用吸収性シート４の端面部４ａには、粘着剤が貼付された粘着剤層１７が設けられ、粘着層１７の表面には、剥離シート１８が取り付けられている。従って、ペット用吸収性シート４には、第１実施形態のペット用吸収性シート１の裏面シート延出部１２ａは設けられていない。
粘着剤は、例えば、第２実施形態で説明した粘着剤が用いられるが、液不透過性の粘着剤を用いる場合には、粘着剤により端面部４ａでの液透過性が遮断されないように、粘着剤を断続的に設けたり、複数の孔部を設けたりするようにするとよい。
【００３４】
剥離シート１８の粘着層１７との当接面には剥離剤が塗付されている。剥離剤としては、例えば、シリコーン系、フッ素系、イソシアネート系等のものが好ましく用いられる。
剥離シート１８は、ペット用吸収性シート４の端面部４ａをほぼ覆うように設けられている。
そして、ペット用吸収性シート４において、他のペット用吸収性シート４と接する端面部４ａは、剥離シート１８を剥がして、当該端面部４ａを液透過状態とするとともに、隣接ペット用吸収性シート４の端面部４ａに粘着層１７をくっつけることで、端面部４ａ同士を連結することができる。
一方、ペット用吸収性シート４において、他のペット用吸収性シート４と接しない端面部４ａは、剥離シート１８を剥がさずそのままにしておくことで液不透過状態が維持されることとなる。
従って、剥離シート１８が切替手段を構成している。この剥離シート１８は、ペット用吸収性シート４の４つの端面部４ａの全てに設けても良いが、少なくとも隣り合う二つの端面部４ａに設けられていればよい。
【００３５】
また、ペット用吸収性シート４は、裏面シート１２の外面に、液吸収性シート１９を備えている。
液吸収性シート１９は、ペット用吸収性シート４同士の接合面などから下に漏れた液体を吸収するためのものである。
液吸収性シート１９としては、例えば、クレープ紙や親水化処理された不織布などを用いることができるが、特に限定するものではなく、液吸収性を有する素材であればどのようなものであってもよい。
【００３６】
以上説明した第３実施形態のペット用吸収性シート４によれば、剥離シート１８を剥がすことで端面部４ａを液不透過状態から液透過状態に切り替えることができるので、第１実施形態のペット用吸収性シート１に比べて容易に切り替えることができる。
なお、上記ペット用吸収性シート４において、ペット用吸収性シート１の裏面シート延出部１２ａに相当する部分を設けても良い。そして、他のペット用吸収性シート４と接する端面部４ａは、裏面シート延出部１２ａに相当する部分を裏面シート１２側に折り曲げて当該端面部４ａを液透過状態にするとともに、他のペット用吸収性シート４と接しない端面部４ａは、剥離シート１８を剥がして、裏面シート延出部１２ａに相当する部分を表面シート１１側に折り曲げ粘着層１７に固定することで当該端面部４ａを液不透過状態にしてもよい。
【００３７】
なお、本発明は、上記第１〜３実施形態に限定されるものではなく、具体的な構造について適宜変更可能であるのは勿論である。
例えば、実施形態３の液吸収性シート１９は、第１実施形態のペット用吸収性シート１及び第２実施形態のペット用吸収性シート２、３に適用してもよい。
【符号の説明】
【００３８】
１      ペット用吸収性シート（第１実施形態）
２      ペット用吸収性シート（第２実施形態）
３      ペット用吸収性シート（変形例）
４      ペット用吸収性シート（第３実施形態）
１１    表面シート
１２    裏面シート
１２ａ  裏面シート延出部（切替手段）
１３    吸収体
１４    固定部
１５    裏面固定部
１７    粘着層
１８    剥離シート（切替手段）
【図１】
0005581094.tif 000002
【図２】
0005581094.tif 000003
【図３】
0005581094.tif 000004
【図４】
0005581094.tif 000005
【図５】
0005581094.tif 000006
【図６】
0005581094.tif 000007
【図７】
0005581094.tif 000008
【図８】
0005581094.tif 000009
【図９】
0005581094.tif 000010
【図１０】
0005581094.tif 000011
【図１１】
0005581094.tif 000012